(57)【要約】【課題】システムキッチンのカウンタトップ１０に開設されたカウンタ孔に落とし込み状態に装着される本体ケース２１と、本体ケース２１の上端のケース開口部２０を覆う天板２４とを具備し、天板２４には本体ケース２１内を外部と連通させるための天板開口部２６０が開設されているビルトイン型加熱調理器において、本体ケース２１をカウンタトップ１０に固定する際の施工作業性および作業者の安全性を向上させること。【解決手段】天板開口部２６０を介して上方から回動が可能な操作部６５５を上端に有する回動操作部材６５と、本体ケース２１の側壁２１０を貫通し且つカウンタ孔１１０の内周面に対して当接および離反する動作が可能な位置決め部材６６と、回動操作部材６５と位置決め部材６６とを連動させる伝動機構とを備え、伝動機構は、回動操作部材６５の回動の動作を位置決め部材６６の当接および離反する動作に変換する機能を具備すること。【選択図】  図４
2004309014.tif 000002
【特許請求の範囲】
【請求項１】
システムキッチンのカウンタトップに開設されたカウンタ孔に落とし込み状態に装着される本体ケースと、前記本体ケースの上端のケース開口部を覆う天板とを具備し、前記天板には前記本体ケース内を外部と連通させるための天板開口部が開設されているビルトイン型加熱調理器において、
前記天板開口部を介して上方から回動が可能な操作部を上端に有する回動操作部材と、前記本体ケースの側壁を貫通し且つ前記カウンタ孔の内周面に対して当接および離反する動作が可能な位置決め部材と、前記回動操作部材と前記位置決め部材とを連動させる伝動機構とを備え、
前記伝動機構は、前記回動操作部材の前記回動の動作を前記位置決め部材の前記当接および離反する動作に変換する機能を具備する、ビルトイン型加熱調理器。
【請求項２】
請求項１に記載のビルトイン型加熱調理器において、
前記位置決め部材は、固定のアーム支持部に上下揺動自在に支持され且つ先端が前記カウンタ孔の内周面に対向する揺動アームであり、
前記回動操作部材は、前記天板開口部の下方に鉛直姿勢で配設された回動軸であり、
前記伝動機構は、前記回動軸の外周に刻設された雄ねじ部と、前記雄ねじ部に螺合され且つ前記回動軸の回動に伴って前記揺動アームの後端を上下に移動させるナット部材とを備えた、ビルトイン型加熱調理器。
【請求項３】
請求項２に記載のビルトイン型加熱調理器において、
前記操作部は、作業用工具を係合させるための工具係合部である、ビルトイン型加熱調理器。
【発明の詳細な説明】
【０００１】
【発明の属する技術分野】
本発明は、システムキッチンのカウンタトップに開設されたカウンタ孔に落とし込み状態に装着する形式の加熱調理器、即ち、ビルトイン型加熱調理器に関するものである。
【０００２】
【従来の技術】
ビルトイン型加熱調理器の本体ケースの側壁と、該本体ケースが落とし込み状態に装着される上記カウンタ孔の内周面とは、施工作業性の観点から若干の間隙が設けられており、本体ケースに対して水平方向に外力が作用すると、加熱調理器本体がカウンタトップに対して若干遊動する問題がある。その遊動を阻止するために、本体ケースとカウンタトップとを固定金具で連結固定するものが知られている（例えば、特許文献１参照）。
【０００３】
また、図６に示すように、本体ケースの側壁とカウンタ孔とを固定ねじで固定するものもある。
図６は、本体ケースの側壁とカウンタ孔とを固定ねじで固定する従来のビルトイン型加熱調理器の一部切欠の平面図である。
【０００４】
システムキッチンのカウンタトップ１０に開設されたカウンタ孔１１に、加熱調理器２を構成する本体ケース２１が落とし込み状態に装着されており、該本体ケース２１の上端のケース開口部２０から張り出したフランジ２２が前記カウンタ孔１１の周縁に載置されている。
【０００５】
また、前記フランジ２２の上部には天板２４が固定されており、前記ケース開口部２０を覆っている。
本体ケース２１の底部には、グリル３２と、加熱調理器２の動作を制御する制御回路（図示しない）を収容する制御回路ケース３４が収容されており、それらの上方には、電磁誘導式の加熱器（以下、「加熱コイル」という）３０，３０と、加熱ヒータ３１とが配設されている。
【０００６】
さらに、制御回路ケース３４の上面には、電源から高電圧の電気が供給され、前記加熱コイル３０，３０や加熱ヒータ３１等に電気を供給する電源回路３５が配設されている。
【０００７】
本体ケース２１の側壁２１０，２１０には、本体ケース２１をカウンタ孔１１に固定する固定ねじ３６，３６が貫設されている。該固定ねじ３６，３６は、側壁２１０，２１０の内側からその壁面に水平に螺合されるとともに、その先端が本体ケース２１の外側方向へ突出した状態でカウンタ孔１１の内周面１１０に当接されている。即ち、本体ケース２１は、その両側面部でカウンタ孔１１の内周面１１０に位置決めされた状態に固定される。
これにより、本体ケース２１に対して水平方向に外力が作用した場合も、加熱調理器２がカウンタトップ１０に対して遊動するのを防止することができる。
【０００８】
【特許文献１】
特開平７−２６９８８３号公報（第１−８頁、第１図）
【０００９】
【発明が解決しようとする課題】
しかしながら、上記従来のビルトイン型加熱調理器では、天板２４を取り外した状態で、本体ケース２１の内側から固定ねじ３６，３６の締め付け作業を行わなければならず、天板２４の着脱作業が必要な分だけ手間がかかるから、施工作業性が悪い。
【００１０】
また、本体ケース２１の内側から水平方向に固定ねじ３６，３６を締め付ける作業は、施工作業中に作業者が高電圧の電源回路３５に接触するおそれや、電源回路３５を構成する電子部品を破損させるおそれもあり、施工作業性および作業者の安全性が悪い。
【００１１】
本発明は係る点に鑑みてなされたもので、
『システムキッチンのカウンタトップに開設されたカウンタ孔に落とし込み状態に装着される本体ケースと、前記本体ケースの上端のケース開口部を覆う天板とを具備し、前記天板には前記本体ケース内を外部と連通させるための天板開口部が開設されているビルトイン型加熱調理器』において、本体ケースをカウンタトップに固定する際の施工作業性および作業者の安全性を向上させたビルトイン型加熱調理器を提供することをその課題とする。
【００１２】
【課題を解決するための手段】
［１項］
上記課題を解決するための本発明の技術的手段は、
『前記天板開口部を介して上方から回動が可能な操作部を上端に有する回動操作部材と、前記本体ケースの側壁を貫通し且つ前記カウンタ孔の内周面に対して当接および離反する動作が可能な位置決め部材と、前記回動操作部材と前記位置決め部材とを連動させる伝動機構とを備え、
前記伝動機構は、前記回動操作部材の前記回動の動作を前記位置決め部材の前記当接および離反する動作に変換する機能を具備する』ことである。
上記技術手段によれば、天板に開設された天板開口部を介して上方から回動操作部材を回動させれば、前記伝動機構によって連動する位置決め部材がカウンタ孔の内周面に対して当接されるから、本体ケースのケース開口部を天板で覆った状態のままで、本体ケースをカウンタ孔に固定することができる。
【００１３】
［２項］
前記１項において、
『前記位置決め部材は、固定のアーム支持部に上下揺動自在に支持され且つ先端が前記カウンタ孔の内周面に対向する揺動アームであり、
前記回動操作部材は、前記天板開口部の下方に鉛直姿勢で配設された回動軸であり、
前記伝動機構は、前記回動軸の外周に刻設された雄ねじ部と、前記雄ねじ部に螺合され且つ前記回動軸の回動に伴って前記揺動アームの後端を上下に移動させるナット部材とを備えた』ものとすることができる。
このものでは、天板開口部の上方から操作部を回動させれば、揺動アームの後端部分が、回動軸の雄ねじ部に螺合されたナット部材の上下動に伴なって上下に移動されるから、揺動アームがアーム支持部を支点に上下に揺動しながらカウンタ孔の内周面に向けて迫り出しおよび後退する動作を行う。即ち、揺動アームの先端がカウンタ孔の内周面に当接および離反する方向に揺動される。これにより、本体ケースをカウンタ孔に固定することができる。
【００１４】
［３項］
前記２項において、
『前記操作部は、作業用工具を係合させるための工具係合部である』ものとすれば、天板開口部から回動軸の上端の工具係合部に作業用工具を係合させて、回動軸を回動させることができるから、回動軸の上端に形成されたつまみ部を手で直接回動させるものに比べて作業性が良い。
【００１５】
【発明の効果】
本発明は、上記構成であるから次の特有の効果を有する。
本体ケースのケース開口部を天板で覆った状態のままで、本体ケースをカウンタ孔に固定する位置決め作業を行うことができるから、加熱調理器全体の施工作業工程が簡略化され、加熱調理器をカウンタトップに位置決め固定する際の施工作業性が向上する。
【００１６】
また、天板を取り付けた状態で上方から施工作業を行うことによって、施工作業中に作業者が電源回路に接触するおそれがないから、作業者の安全性が向上するとともに、本体ケースの内部の電子回路を破損させるおそれもない。
【００１７】
２項のものでは、天板開口部の上方から操作部を回動させれば、揺動アームがアーム支持部を支点に上下に揺動しながらカウンタ孔の内周面に向けて迫り出しおよび後退する動作を行うから、揺動アームの迫り出しおよび後退する範囲を長く設定することができる。即ち、少ない回動量で揺動アームの先端をカウンタ孔の内周面に当接させることができるから、施工作業性が良い。
【００１８】
３項のものでは、天板開口部の上方から作業用工具によって回動軸を回動させれば、本体ケースをカウンタトップに容易に固定することができるから、施工作業性が一層向上する。
【００１９】
【発明の実施の形態】
次に、上記した本発明の実施の形態を図面に従って詳述する。
図１は、本発明の実施の形態に係る加熱調理器の一部分解の斜視図であり、図２は一部切欠の平面図である。
【００２０】
この加熱調理器２は、上方に開口する矩形箱状の本体ケース２１と、該本体ケース２１の上端のケース開口部２０を覆う天板２４と、内部に加熱ヒータ（図示しない）を収容する矩形箱状のグリル３２と、加熱調理器２の運転動作を制御する制御回路（図示しない）を収容する制御回路ケース３４と、電磁誘導によって調理鍋やフライパン等を加熱させる加熱コイル３０，３０と、輻射熱によって調理鍋やフライパン等を加熱させる加熱ヒータ３１とを備えている。
【００２１】
以下、各部の詳細を説明する。
［本体ケース２１について］
前記本体ケース２１は、システムキッチンのカウンタトップ１０に開設されたカウンタ孔１１に落とし込み状態に装着されており、本体ケース２１の上端のケース開口部２０から張り出したフランジ２２がカウンタ孔１１の周縁に載置されている。
【００２２】
尚、カウンタ孔１１の内周は、本体ケース２１の外周より若干大きく形成されており、本体ケース２１の側壁２１０とカウンタ孔１１の内周面１１０との間には、若干の間隙が形成される。
【００２３】
本体ケース２１の底部には、前記グリル３２と前記制御回路ケース３４とが並設されており、グリル３２の上方および制御回路ケース３４の上方には、前記加熱コイル３０，３０がそれぞれ配設されている。また、ケース開口部２０の後部中央で且つグリル３２の上方には、前記加熱ヒータ３１が配設されている。
【００２４】
さらに、制御回路ケース３４の後部上面には、電源から高電圧が供給され、加熱コイル３０，３０や加熱ヒータ３１等に電気を供給する電源回路３５が配設されている。
【００２５】
グリル３２の後部には、天板２４の裏面まで延びる排気ダクト３２０が連結されており、グリル３２の内部の燃焼排気が該排気ダクト３２０を介して加熱調理器２の外部へ排出される。
【００２６】
制御回路ケース３４の後部には、天板２４の裏面まで延びる吸気ダクト３４０が連結されており、制御回路を冷却するための外気が該吸気ダクト３４０を介して制御回路ケース３４の内部へ吸入される。
また、ケース開口部２０の後部両コーナーには、後述する位置決めユニット６０が配設されている。
【００２７】
［天板２４について］
前記天板２４は、天板２４の周縁部がフランジ２２の周縁部に嵌合した状態で、前記フランジ２２の上部に載置されている。
天板２４の後部中央には、前記排気ダクト３２０の先端の開口部が臨む排気ダクト用の天板開口部２２０と、前記吸気ダクト３４０の先端の開口部が臨む吸気ダクト用の天板開口部２４０とが並設されており、天板２４の後部両コーナーには、本体ケース２１の内部の空気を排出する換気用の天板開口部２６０，２６０が開設されている。
また、天板２４の上面には、前記天板開口部２２０，２４０，２６０，２６０を覆う排気ガード２９が載置されている。
【００２８】
［位置決めユニット６０について］
図３および図４に示すように、位置決めユニット６０は、本体ケース２１の内壁に固着される略Ｌ字状の支持フレーム６１と、該支持フレーム６１に鉛直姿勢で且つ回動自在に設けられる回動軸６５と、該回動軸６５に接続されるナット部材６７と、先端が支持フレーム６１に形成されたアーム支持部たる貫通孔６１６に支持され、後端が前記ナット部材６７の上面に支持される揺動アーム６６とを備えている。
【００２９】
前記回動軸６５は、支持フレーム６１の上面と下面に形成された軸受け孔６１５，６１５に遊挿されており、回動軸６５の上端に形成される操作部６５５が支持フレーム６１の上面に当接した状態で保持されている。回動軸６５の外周には、ナット部材６７の内周に刻設される雌ねじ部６７１と螺合する雄ねじ部６５１が刻設されている。前記操作部６５５は、その上面にドライバー等の作業用工具を係合させる工具係合部６５６が形成されているとともに、回動軸６５を抜け止め状態に保持するヘッドカバー６９で覆われている。
【００３０】
前記ナット部材６７は、その一側面の平面部が支持フレーム６１のガイド壁６１７に当接されている。即ち、回動軸６５の回動に伴なって上下に摺動が可能な状態で回動軸６５に螺合している。
【００３１】
前記揺動アーム６６は、金属板を断面コの字状に形成した細長板状体であり、その先端は尖っている。揺動アーム６６の後端は、回動軸６５が遊挿されるガイド孔６６５を備えており、回動軸６５に沿って上下に移動が可能な状態でナット部材６７の上面に支持されている。揺動アーム６６の先端は、前記貫通孔６１６を介して側壁２１０に形成された側壁開口２１６に挿通されている。
【００３２】
また、支持フレーム６１に形成された前記貫通孔６１６は、カウンタ孔１１の内周面１１０に対向し且つ回動軸６５の上端寄りの高さ位置に設けられている。即ち、ナット部材６７が回動軸６５の下端側に位置するときには、揺動アーム６６は、その後端が下がった傾斜姿勢で且つ先端が本体ケース２１の内部にほぼ埋没した状態となり、ナット部材６７が回動軸６５の上端側に位置するときには、ほぼ水平姿勢で且つ先端が側壁開口部２１６から内周面１１０の方向へ突出した状態になるように設定されている。
【００３３】
［本体ケース２１の固定手順について］
次に、本体ケース２１をカウンタ孔１１に固定する際の作業手順を説明する（図４参照）。
まず、ナット部材６７が回動軸６５の下端側に位置する状態で、本体ケース２１をカウンタ孔１１に装着する。このとき、揺動アーム６６は、その後端が下がった傾斜姿勢で保持され、その先端は本体ケース２１の内部に埋没しているから、本体ケース２１をカウンタ孔１１に落とし込む際に、揺動アーム６６の先端が邪魔にならない。
【００３４】
そして、天板２４に開設された天板開口部２６０から、操作部６５５に形成された工具係合部６５６に作業用工具を係合させ、操作部６５５を回動させる。このとき、ガイド壁６１７によって回動阻止状態で回動軸６５に螺合されているナット部材６７は、回動軸６５に沿って上方へ移動し、揺動アーム６６の後端を回動軸６５に沿って上方へ押し上げる。
【００３５】
ナット部材６７が上方へ移動するに伴なって、揺動アーム６６の後端は上方に押し上げられ、その先端が側壁２１０から外側へ突出してカウンタ孔１１の内周面１１０に当接される。
【００３６】
これにより、本体ケース２１は、その左右の側壁２１０，２１０から突出する揺動アーム６６，６６によってカウンタ孔１１の内周面１１０に位置決め固定され、加熱調理器２に対して水平方向に外力が作用した場合に、該加熱調理器２がカウンタトップ１０に対して遊動するのを防止することができる。
【００３７】
以上のように、上記加熱調理器２によれば、天板２４を取り付けた状態のままで本体ケース２１をカウンタ孔１１に装着し、天板２４に開設された天板開口部２６０，２６０から作業用工具で回動軸６５を回動させれば、揺動アーム６６が本体ケース２１の側壁２１０，２１０から突出され、本体ケース２１をカウンタトップ１０に容易に位置決め固定することができるから、加熱調理器全体の施工作業工程が簡略化され、加熱調理器２をカウンタトップ１０に固定する際の施工作業性が向上する。
【００３８】
また、施工作業中に作業者が電源回路３５に接触するおそれもないから、作業者の安全性が向上するとともに、本体ケース２１の内部の電子回路を破損させるおそれもない。
【００３９】
［第２実施形態］
次に、上記した本発明の第２実施形態を詳述する。
図５は、本発明の第２実施形態に係るビルトイン型加熱調理器に組み込まれる位置決めユニット８０近傍の縦断面図である。
【００４０】
位置決めユニット８０は、本体ケース２１の内壁に固着される支持フレーム８１と、該支持フレーム８１に鉛直姿勢で且つ回動自在に設けられる回動軸６５と、該回動軸６５の下端に固定状態で連結されるアーム受け８７と、先端が支持フレーム８１に形成された貫通孔８１６に支持され、後端が前記アーム受け８７の上面に支持される揺動アーム６６とを備えている。
【００４１】
前記回動軸６５は、支持フレーム８１に接合された軸ナット部８８に螺合されており、その上端には操作部６５５が形成されている。前記操作部６５５は、その上面に工具係合部６５６が形成されている。回動軸６５の外周には、支持フレーム８１に設けられた軸ナット部８８の内周に刻設される雌ねじ部８８１と螺合する雄ねじ部６５１が刻設されている。即ち、回動軸６５は、その回動に伴なって上下に移動が可能な状態で軸ナット部８８に係合されている。尚、前記回動軸６５が既述回動操作部材に対応する。
【００４２】
前記揺動アーム６６は、上記第１実施形態と同様の形状をしており、後端のガイド孔６６５に回動軸６５が挿通されている。従って、揺動アーム６６の後端は、回動軸６５の上下への移動に伴なって上下に移動が可能な状態でアーム受け８７の上面に支持されている。揺動アーム６６の先端は、前記貫通孔８１６を介して側壁２１０に形成された側壁開口２１６に挿通されている。尚、前記揺動アーム６６が既述位置決め部材に対応する。
【００４３】
また、支持フレーム８１に形成された前記貫通孔８１６は、カウンタ孔１１の内周面１１０に対向し且つ軸ナット部８８と略同一の高さに設けられている。即ち、回動軸６５がその移動可能な範囲において下側に位置するときには、揺動アーム６６は、その後端が下がった傾斜姿勢で且つ先端が本体ケース２１の内部にほぼ埋没した状態となり、回動軸６５がその移動可能な範囲において上側に位置するときには、ほぼ水平姿勢で且つ先端が側壁開口部２１６から内周面１１０の方向へ突出した状態になるように設定されている。
【００４４】
尚、回動軸６５の外周に刻設された雄ねじ部６５１と、回動軸６５を上下に摺動が可能な状態でその雄ねじ部６５１と螺合する軸ナット部８８と、揺動アーム６６の後端を上下に移動させるアーム支持部８７とを備えた機構部が、既述伝動機構に対応する。
【００４５】
次に、本体ケース２１をカウンタ孔１１に固定する際の作業手順を説明する。
まず、回動軸６５がその移動可能な範囲において下側に位置する状態で、本体ケース２１をカウンタ孔１１に装着する。このとき、揺動アーム６６の先端は、上記第１実施形態と同様に、本体ケース２１の内部に埋没しているから、本体ケース２１をカウンタ孔１１に落とし込む際に、揺動アーム６６の先端が邪魔にならない。
【００４６】
そして、天板２４に開設された天板開口部２６０から作業用工具によって操作部６５５を回動させると、回動軸６５がその上方へ移動し、アーム受け８７に当接される揺動アーム６６の後端を回動軸６５に沿って上方へ押し上げる。
このとき、揺動アーム６６の先端は、上記第１実施形態と同様に、側壁２１０から外側へ突出してカウンタ孔１１の内周面１１０に当接される。
【００４７】
これにより、本体ケース２１は揺動アーム６６，６６によってカウンタ孔１１の内周面１１０に位置決め固定され、加熱調理器２に対して水平方向に外力が作用した場合に、該加熱調理器２がカウンタトップ１０に対して遊動するのを防止することができる。
【００４８】
［その他］
▲１▼．前記回動軸６５は、支持フレーム６１（第２実施形態においては「支持フレーム８１」）に鉛直姿勢で支持されているが、天板開口部２６０から操作部６５５を回動させることが可能であれば、支持フレーム６１（第２実施形態においては「支持フレーム８１」）に傾斜姿勢で支持されたものであっても良い。
【００４９】
▲２▼．前記操作部６５５は、工具係合部６５６を有し、ドライバー等の作業用工具によって回動させるものであるが、作業者が操作部６５５を直接回動させることが可能なつまみ部を形成したものであっても良い。
【００５０】
▲３▼．前記揺動アーム６６は、その後端に形成されるガイド孔６６５に回動軸６５を挿通させることによって上下方向への揺動が可能な構成になっているが、ナット部材６７（第２実施形態においては「アーム受け８７」）に揺動アーム６６の後端を上下方向への揺動が可能な状態で連結したものであっても良い。
【００５１】
▲４▼．揺動アーム６６の先端は、ナット部材６７が回動軸６５の下端側に位置するとき（第２実施形態においては「回動軸６５がその移動可能な範囲において下側に位置するとき」）には、本体ケース２１の内部にほぼ埋没した状態になるように設定されているが、本体ケース２１をカウンタ孔１１に落とし込む際に邪魔にならなければ、側壁２１０から若干突出してても良い。
【００５２】
▲５▼．揺動アーム６６の先端は、支持フレーム６１（第２実施形態においては「支持フレーム８１」）に形成された貫通孔６１６（第２実施形態においては「貫通孔８１６」）に支持されているが、側壁開口２１６に支持されるものであっても良い。この場合、第１実施形態において、側壁開口２１６が既述のアーム支持部に対応する。
【００５３】
▲６▼．既述の位置決め部材は、ウォームを備え且つ軸線方向への摺動が可能な摺動軸であり、既述の回動操作部材は、前記ウォームと連結する歯車を備え且つ鉛直姿勢に軸支される回動軸であり、既述の伝動機構は、前記ウォームと前記歯車とを備えたものであっても良い。
【図面の簡単な説明】
【図１】本発明の実施の形態に係るビルトイン型加熱調理器の一部分解の斜視図
【図２】本発明の実施の形態に係るビルトイン型加熱調理器の一部切欠の平面図
【図３】本発明の実施の形態に係るビルトイン型加熱調理器に組み込まれる位置決めユニット近傍の平面図
【図４】本発明の実施の形態に係るビルトイン型加熱調理器に組み込まれる位置決めユニット近傍の縦断面図
【図５】第２実施形態に係るビルトイン型加熱調理器に組み込まれる位置決めユニット近傍の説明図
【図６】従来例の説明図
【符号の説明】
２・・・加熱調理器
１０・・・カウンタトップ
１１・・・カウンタ孔
２０・・・ケース開口部
２１・・・本体ケース
２４・・・天板
６５・・・回動軸
６６・・・揺動アーム
６７・・・ナット部材
１１０・・・内周面
２１０・・・側壁
２６０・・・天板開口部
６１６・・・貫通孔
６５５・・・操作部
【図１】
2004309014.tif 000003
【図２】
2004309014.tif 000004
【図３】
2004309014.tif 000005
【図４】
2004309014.tif 000006
【図５】
2004309014.tif 000007
【図６】
2004309014.tif 000008